(57)【要約】【課題】  フレキシブル基板に形成される雄側端子の数を増加させることなく、かつ接続状態が正常であるか異常であるかを容易に判定して、フレキシブル基板および光ピックアップ装置に含まれる電子部品の破損を防ぐことができるフレキシブル基板の配線構造、光ピックアップ装置、光情報処理装置、接続状態判定システムおよび接続状態判定方法を提供する。【解決手段】  フレキシブル基板１ａには、複数の配線部２０が形成され、複数の配線部２０のうち、同じ種類の電気信号を伝送する配線部２０ａ〜２０ｃ間が、接続配線部２２によって、接続部２５で電気的に接続されている。フレキシブル基板１ａに形成される雄側端子２１の数を増加させることなく、フレキシブル基板１ａと外部機器とが接続されたとき、配線部２０ａ〜２０ｃを用いて、接続状態が正常であるか異常であるかを容易に判定することができる。【選択図】  図３
2010129107.tif 000002
【特許請求の範囲】
【請求項１】
複数の配線部が形成され、
前記複数の配線部のうち、同じ種類の電気信号を伝送する少なくとも２つの配線部間は、電気的に接続されていることを特徴とするフレキシブル基板の配線構造。
【請求項２】
電気的に接続されている前記配線部は、接地電位の電気信号を伝送する接地用の配線部であることを特徴とする請求項１に記載のフレキシブル基板の配線構造。
【請求項３】
少なくとも２つの前記配線部間を電気的に接続する接続配線部が形成され、
前記接地用の配線部間は、前記接続配線部を介して電気的に接続されていることを特徴とする請求項２に記載のフレキシブル基板の配線構造。
【請求項４】
前記フレキシブル基板には、前記複数の配線部が隣接して形成され、
前記接地用の配線部は、前記フレキシブル基板に形成される前記配線部の隣接方向の最両端の位置にそれぞれ配置されていることを特徴とする請求項３に記載のフレキシブル基板の配線構造。
【請求項５】
前記接地用の配線部間は、前記フレキシブル基板外に設けられる導電部材を介して電気的に接続されていることを特徴とする請求項２に記載のフレキシブル基板の配線構造。
【請求項６】
電気的に接続されている前記配線部は、電源電圧レベルの電気信号を伝送する電源用の配線部であることを特徴とする請求項１に記載のフレキシブル基板の配線構造。
【請求項７】
少なくとも２つの前記配線部間を電気的に接続する接続配線部が形成され、
前記電源用の配線部間は、前記接続配線部を介して電気的に接続されていることを特徴とする請求項６に記載のフレキシブル基板の配線構造。
【請求項８】
請求項１〜７のいずれか１つに記載の配線構造を有するフレキシブル基板を含む光ピックアップ装置。
【請求項９】
請求項５に記載の配線構造を有するフレキシブル基板と、前記導電部材からなるハウジングとを含むことを特徴とする光ピックアップ装置。
【請求項１０】
請求項８または９に記載の光ピックアップ装置を搭載する光情報処理装置。
【請求項１１】
請求項８または９に記載の光ピックアップ装置に含まれる前記フレキシブル基板との接続状態を判定する接続状態判定システムであって、
前記フレキシブル基板は、前記複数の配線部と接続される複数の雄側端子が端部に形成され、
前記雄側端子と電気的に接続可能な複数の雌側端子を有し、
前記雌側端子と前記雄側端子とが接続された後に、前記雌側端子によって、電気的に接続されている前記配線部に接続される前記雄側端子に対して電圧を印加して、電気的な接続が確認される場合は、前記雌側端子と前記雄側端子との接続状態は正常であると判定し、電気的な接続が確認されない場合は、前記雌側端子と前記雄側端子との接続状態は異常であると判定することを特徴とする接続状態判定システム。
【請求項１２】
請求項８または９に記載の光ピックアップ装置に含まれるフレキシブル基板の端部に形成され、かつ前記複数の配線部と接続される複数の雄側端子と電気的に接続可能な複数の雌側端子を有する外部機器によって、前記フレキシブル基板との接続状態を判定する接続状態判定方法であって、
前記雌側端子と前記雄側端子とを接続する接続ステップと、
前記接続ステップで前記雌側端子と前記雄側端子とが接続された後、前記雌側端子によって、電気的に接続されている前記配線部に接続される前記雄側端子に対して電圧を印加して、電気的な接続が確認されるか否かを判定する第１の判定ステップと、
前記第１の判定ステップで、電気的な接続が確認されたものと判定された場合は、前記雌側端子と前記雄側端子との接続状態は正常であると判定し、電気的な接続が確認されないと判定された場合は、前記雌側端子と前記雄側端子との接続状態は異常であると判定する第２の判定ステップとを含むことを特徴とする接続状態判定方法。
【発明の詳細な説明】
【技術分野】
【０００１】
本発明は、高密度記録媒体ドライブおよび光記録媒体評価システムなどに使用可能な光ピックアップ装置に含まれるフレキシブル基板の配線構造、光ピックアップ装置、光情報処理装置、接続状態判定システムおよび接続状態判定方法に関する。
【背景技術】
【０００２】
近年、レーザ光を用いて光ディスク、および光磁気ディスクなどの光記録媒体に、非接触で情報の記録、または再生を行うことができる光情報処理装置に関する技術の開発が進んでいる。光情報処理装置は、再生専用型、追記型、または書き換え可能型などの光記録媒体のそれぞれの記録形態に対応できるなど多くの利点を有しているので、安価な大容量メディアを実現し得るものとして、産業用から民生用まで幅広く利用されている。
【０００３】
光情報処理装置は、レーザ光を光記録媒体の記録面に出射して、情報を光記録媒体の記録面に書き込み、または記録面からの反射光を用いて、記録面に記録された情報を光学的に読出すことができる光ピックアップ装置を含んで構成される。光ピックアップ装置は、光ピックアップ本体と、光ピックアップ本体に電気信号などを伝送するフレキシブル基板とを含んで構成される。フレキシブル基板の端部には、外部機器と接続するための複数の雄側端子が形成されるコネクタ部を有する。
【０００４】
光情報処理装置および光記録媒体に用いられる記録方式には、ＢＤ（Blu-ray disc：ブルーレイディスク）方式、ＤＶＤ（Digital Versatile Disc：デジタルヴァーサタイルディスク）方式、ＣＤ（Compact Disc：コンパクトディスク）方式などの複数の方式がある。たとえばＢＤ方式では、高密度記録を実現するために、光ピックアップ装置に用いられるレーザ光の波長が４０５ｎｍであり、レンズのＮＡ（Numerical Aperture：開口数）が０．８５である。光ピックアップ装置には、異なる波長のレーザ光を用いて、ＢＤ方式、ＤＶＤ方式およびＣＤ方式という異なる方式の光記録媒体に対して、記録または再生を行うことが可能な３波長光ピックアップ装置がある。
【０００５】
３波長光ピックアップ装置には、レーザドライバ、液晶素子、およびコリメートレンズ駆動ユニットなどの回路を構成する電子部品が複数含まれているので、フレキシブル基板端部のコネクタ部に形成される雄側端子の数が６５本以上と多くなる。並設される各端子の中心線間の距離をピッチという。一般的な光ピックアップ装置では、雄側端子のピッチが０．５ｍｍであるが、３波長光ピックアップ装置では、６５本以上の数の雄側端子をコネクタ部の所定の寸法の中に収めるために、雄側端子のピッチが０．３ｍｍと狭くなる。
【０００６】
３波長光ピックアップ装置と外部機器とをコネクタ部を介して接続するとき、雄側端子と外部機器の雌側端子とが一対一で電気的に接続される。端子のピッチが狭い場合、雄側端子と雌側端子との間でわずかな位置ずれが発生しただけでも、雄側端子が雌側端子のうち本来接触すべきではない別の雌側端子と接触して、接続不良を起こすことがある。また、端子のピッチが狭いと、フレキシブル基板のコネクタ部を外部機器のコネクタ部に挿入した際の押し圧不足、またはフレキシブル基板に形成される雄側端子の寸法の公差などによる端子の位置ずれによっても、接続不良が発生する可能性が高くなる。
【０００７】
たとえばＰＤ（Photo Detector）の出力信号を伝送する端子と、電源の電圧たとえば５Ｖの端子とが隣接して配置されている場合、端子の位置ずれなどの接続不良によってＰＤに５Ｖの電圧が印加されると、デバイスが破損する可能性がある。たとえば接地電位の電気信号を伝送する端子と、電源の電圧たとえば８Ｖの端子とが隣接して配置されている場合、接続不良によって接地電位の電気信号を伝送する配線部に８Ｖの電圧が印加されると、過電流が流れてフレキシブル基板が異常に発熱する可能性もある。したがって、狭いピッチで形成される雄側端子と雌側端子とが接続される場合、接続状態が正常であるか異常であるかを確認することが求められる。
【０００８】
図１３は、従来の技術による接続状態検証方法を説明するための図である。接続状態検証方法は特許文献１に記載されている。透明基板３１における端子３１ａには、フレキシブル基板３２における端子３２ａがＡＣＦ（Anisotropic Conductiv Film：異方性導電膜）３３を介して熱圧着によって接続されている。透明基板３１およびフレキシブル基板３２のそれぞれの両端には、端子３１ａ，３２ａとは別に、端子の接続抵抗値を測定するために３つのダミー端子３４が形成されている。透明基板３１には、３つのダミー端子３４を相互に短絡する導通パターン３１ｂが形成されている。フレキシブル基板３２には、３つのダミー端子３４のそれぞれからリード端子３２ｂが延出され、ダミー端子３４ａから延出されるリード端子３２ｂは途中で２つに分岐しており、リード端子３２ｂの端部には円形状のランドパターン３５が４つ形成されている。４つのランドパターン３５を用いて４端子抵抗測定法によって、ダミー端子３４ａの端子間抵抗を測定して、端子間の接続状態を検証することができる。このように、狭いピッチの端子を接続した際の接続状態を評価することができる方法である。
【０００９】
図１４は、従来の技術による電子モジュールを示す図である。電子モジュールは特許文献２に記載されている。ディスプレイパネルなどの電子部材である基板４１の取り出し配線４２を、フレキシブル基板４３のＡＣＦ接合配線４４にＡＣＦ４６を用いて接続することによって、フレキシブル基板４３と基板４１とは電気的に接続される。ＡＣＦ接合配線４４から２つに分岐している分岐部４５が、フレキシブル基板４３の端縁まで延在している。フレキシブル基板４３と基板４１とがＡＣＦ４６によって接続された後に、取り出し配線４２と分岐部４５とを用いて、取り出し配線４２とＡＣＦ接合配線４４との接続部の低抵抗測定を行うことができる。これによって、ＡＣＦ４６による接続部が正しく接続されているか否かを判別することができる。このように、ＡＣＦ４６によって電気的に接続される接続部の接続信頼性を確認することができる。
【００１０】
【特許文献１】特開２００５−２０９８９４号公報
【特許文献２】特開２００８−７８６２８号公報
【発明の開示】
【発明が解決しようとする課題】
【００１１】
しかしながら、特許文献１の接続状態検証方法では、端子間の接続状態を評価するために、本来の端子３１ａ，３２ａに加えて、接続状態を検証するためのダミー用の端子を設ける必要があり、端子数がさらに増加してしまうという問題がある。
【００１２】
また特許文献２の電子モジュールでは、フレキシブル基板４３に本来の配線とは別に分岐させた分岐部４５を作る必要があるので、フレキシブル基板４３のコストアップに繋がる。また、接続抵抗値を測定する際に、テスタなどの導通を確認する装置を、取り出し配線４２および分岐部４５に接触させる必要があり、検査方法が煩雑になるという問題がある。
【００１３】
本発明の目的は、フレキシブル基板に形成される雄側端子の数を増加させることなく、かつ接続状態が正常であるか異常であるかを容易に判定して、フレキシブル基板および光ピックアップ装置に含まれる電子部品の破損を防ぐことができるフレキシブル基板の配線構造、光ピックアップ装置、光情報処理装置、接続状態判定システムおよび接続状態判定方法を提供することである。
【課題を解決するための手段】
【００１４】
本発明は、複数の配線部が形成され、
前記複数の配線部のうち、同じ種類の電気信号を伝送する少なくとも２つの配線部間は、電気的に接続されていることを特徴とするフレキシブル基板の配線構造である。
【００１５】
また本発明は、前記配線構造を有するフレキシブル基板を含む光ピックアップ装置である。
【００１６】
また本発明は、前記配線構造を有するフレキシブル基板と、前記導電部材からなるハウジングとを含むことを特徴とする光ピックアップ装置である。
【００１７】
また本発明は、前記光ピックアップ装置を搭載する光情報処理装置である。
また本発明は、前記光ピックアップ装置に含まれる前記フレキシブル基板との接続状態を判定する接続状態判定システムであって、
前記フレキシブル基板は、前記複数の配線部と接続される複数の雄側端子が端部に形成され、
前記雄側端子と電気的に接続可能な複数の雌側端子を有し、
前記雌側端子と前記雄側端子とが接続された後に、前記雌側端子によって、電気的に接続されている前記配線部に接続される前記雄側端子に対して電圧を印加して、電気的な接続が確認される場合は、前記雌側端子と前記雄側端子との接続状態は正常であると判定し、電気的な接続が確認されない場合は、前記雌側端子と前記雄側端子との接続状態は異常であると判定することを特徴とする接続状態判定システムである。
【００１８】
また本発明は、前記光ピックアップ装置に含まれるフレキシブル基板の端部に形成され、かつ前記複数の配線部と接続される複数の雄側端子と電気的に接続可能な複数の雌側端子を有する外部機器によって、前記フレキシブル基板との接続状態を判定する接続状態判定方法であって、
前記雌側端子と前記雄側端子とを接続する接続ステップと、
前記接続ステップで前記雌側端子と前記雄側端子とが接続された後、前記雌側端子によって、電気的に接続されている前記配線部に接続される前記雄側端子に対して電圧を印加して、電気的な接続が確認されるか否かを判定する第１の判定ステップと、
前記第１の判定ステップで、電気的な接続が確認されたものと判定された場合は、前記雌側端子と前記雄側端子との接続状態は正常であると判定し、電気的な接続が確認されないと判定された場合は、前記雌側端子と前記雄側端子との接続状態は異常であると判定する第２の判定ステップとを含むことを特徴とする接続状態判定方法である。
【発明の効果】
【００１９】
本発明によれば、複数の配線部が形成され、前記複数の配線部のうち、同じ種類の電気信号を伝送する少なくとも２つの配線部間が、電気的に接続されている。
【００２０】
したがって、フレキシブル基板に接続状態を確認するための雄側端子を別途設ける必要がないので、フレキシブル基板に形成される雄側端子の数を増加させることなく、フレキシブル基板と外部機器とが接続されたとき、電気的に接続されている配線部を用いて、接続状態が正常であるか異常であるかを容易に判定することができる。接続状態が正常であると判定される場合、外部機器はフレキシブル基板に電気信号の伝送などを行ない、接続状態が異常であると判定される場合、外部機器はフレキシブル基板に電気信号の伝送などを行わないので、フレキシブル基板、およびフレキシブル基板を含む光ピックアップ装置を構成する電子部品の破損を防ぐことができる。
【００２１】
また本発明によれば、光ピックアップ装置が前記配線構造を有するフレキシブル基板を含んでいることによって、前記フレキシブル基板と外部機器とが接続された際に、外部機器によって、電気的に接続されている配線部を用いて、接続状態が正常であるか異常であるかを容易に判定することができる。接続状態が正常であると判定される場合、外部機器は光ピックアップ装置に電力の供給、および信号の伝送などを行うことによって、光ピックアップ装置を確実に動作させることができる。接続状態が異常であると判定される場合、外部機器は光ピックアップ装置に電力の供給、および信号の伝送などを行わないことによって、フレキシブル基板および光ピックアップ装置に含まれる電子部品の破損を防ぐことができる。
【００２２】
また本発明によれば、光ピックアップ装置が前記配線構造を有するフレキシブル基板と、前記導電部材からなるハウジングとを含んでいることによって、前記フレキシブル基板と外部機器とが接続された際に、外部機器によって、電気的に接続されている配線部を用いて、接続状態が正常であるか異常であるかを容易に判定することができる。接続状態が正常であると判定される場合、外部機器は光ピックアップ装置に電力の供給、および信号の伝送などを行うことによって、光ピックアップ装置を確実に動作させることができる。接続状態が異常であると判定される場合、外部機器は光ピックアップ装置に電力の供給、および信号の伝送などを行わないことによって、フレキシブル基板および光ピックアップ装置に含まれる電子部品の破損を防ぐことができる。また、ハウジングが接地用の配線部に接続されているので、光ピックアップ装置から発生する不要輻射を低減させることができる。
【００２３】
また本発明によれば、光情報処理装置が、前記光ピックアップ装置を搭載することによって、前記フレキシブル基板に形成される電気的に接続されている配線部を用いて、接続状態が正常であるか異常であるかを容易に判定することができる。接続状態が正常であると判定される場合、光情報処理装置は光ピックアップ装置に電力の供給、および信号の伝送などを行い光ピックアップ装置を確実に動作させることができるので、光情報処理装置の正常な動作が担保される。接続状態が異常であると判定される場合、光情報処理装置は光ピックアップ装置に電力の供給、および信号の伝送などを行わないことによって、フレキシブル基板および光ピックアップ装置に含まれる電子部品の破損を防ぐことができる。
【００２４】
また本発明によれば、接続状態判定システムが、前記光ピックアップ装置に含まれる前記フレキシブル基板との接続状態を判定するにあたって、前記フレキシブル基板は、前記複数の配線部と接続される複数の雄側端子が端部に形成されている。接続状態判定システムは、前記雄側端子と電気的に接続可能な複数の雌側端子を有し、前記雌側端子と前記雄側端子とが接続された後に、前記雌側端子によって、電気的に接続されている前記配線部に接続される前記雄側端子に対して電圧を印加する。電気的な接続が確認される場合は、前記雌側端子と前記雄側端子との接続状態は正常であると判定し、電気的な接続が確認されない場合は、前記雌側端子と前記雄側端子との接続状態は異常であると判定する。
【００２５】
したがって、接続状態判定システムは、前記フレキシブル基板に形成される電気的に接続されている配線部を用いて、接続状態が正常であるか異常であるかを容易に判定することができる。接続状態が正常であると判定される場合、光ピックアップ装置に電力の供給、および信号の伝送などを行うことによって、光ピックアップ装置を確実に動作させることができる。接続状態が異常であると判定される場合、外部機器は光ピックアップ装置に電力の供給、および信号の伝送などを行わないことによって、フレキシブル基板および光ピックアップ装置に含まれる電子部品の破損を防ぐことができる。
【００２６】
また本発明によれば、前記光ピックアップ装置に含まれるフレキシブル基板の端部に形成され、かつ前記複数の配線部と接続される複数の雄側端子と電気的に接続可能な複数の雌側端子を有する外部機器が、前記フレキシブル基板との接続状態を判定する接続状態判定方法を行うにあたって、接続ステップでは、前記雌側端子と前記雄側端子とを接続する。第１の判定ステップでは、前記接続ステップで前記雌側端子と前記雄側端子とが接続された後、前記雌側端子によって、電気的に接続されている前記配線部に接続される前記雄側端子に対して電圧を印加して、電気的な接続が確認されるか否かを判定する。第２の判定ステップでは、前記第１の判定ステップで、電気的な接続が確認されたものと判定された場合は、前記雌側端子と前記雄側端子との接続状態は正常であると判定し、電気的な接続が確認されないと判定された場合は、前記雌側端子と前記雄側端子との接続状態は異常であると判定する。
【００２７】
したがって、外部機器は前記フレキシブル基板に形成され、かつ電気的に接続されている配線部を用いて、前記フレキシブル基板と外部機器との接続状態が正常であるか異常であるかを容易に判定することができる。
【発明を実施するための最良の形態】
【００２８】
図１は、本発明の実施の一形態である光ピックアップ装置５の外観を示す図である。光ピックアップ装置５は、レーザ光を光記録媒体の記録面に出射して、情報を光記録媒体の記録面に書き込み、または記録面からの反射光を用いて、記録面に記録された情報を光学的に読出すことができる光ピックアップ本体４と、光ピックアップ本体４に電気信号、たとえば電源電圧レベルの電気信号および接地電位の電気信号などを伝送するフレキシブル基板１とを含んで構成される。後述するフレキシブル基板１ａ〜１ｄを総称して、フレキシブル基板１という。
【００２９】
フレキシブル基板１の端部には、外部機器と接続するための複数の雄側端子２１が形成されるコネクタ部２９を有する。光ピックアップ本体４は、光ピックアップ本体４の基台となり導電部材からなるハウジング２と、レーザ光が透過する対物レンズ３とを含んで構成される。
【００３０】
光ピックアップ装置５には、異なる波長のレーザ光を用いて、たとえばＢＤ（Blu-ray 
disc：ブルーレイディスク）方式、ＤＶＤ（Digital Versatile Disc：デジタルヴァーサタイルディスク）方式、およびＣＤ（Compact Disc：コンパクトディスク）方式という異なる方式の光記録媒体に対して、記録または再生を行うことが可能な３波長光ピックアップ装置が含まれる。
【００３１】
図２は、光ピックアップ装置５に含まれる電子部品の一部と、雄側端子２１との対応を示す図である。光ピックアップ装置５は、光記録媒体などの記録面から反射してきた光を受光して信号出力に変換するＰＤＩＣ（Photo Detector Integrated Circuit）１１と、出射パワーをモニタするＦＭＩＣ（Front Monitor Integrated Circuit:フロントモニタＩＣ）１２と、光源となる半導体レーザを駆動するＬＤＤＩＣ（Laser Driver 
Integrated Circuit：レーザドライバＩＣ）１３と、出射ビームのコマ収差および非点収差を補正し、ＬＣＤ（Liquid Crystal Display：液晶素子）を駆動するＬＣＤ  Ｄｒｉｖｅｒ  ＩＣ（Liquid Crystal Display Driver Integrated Circuit）１４と、球面収差を補正するＣＬ（Collimator Lens：コリメートレンズ）を駆動するＣＬ駆動Ｄｒｉｖｅｒ  ＩＣ（Collimator Lens Driver Integrated Circuit）１５と、情報を記憶するＥＥＰＲＯＭ（Electrically Erasable and Programmable Read-Only Memory）１６とが含まれている。
【００３２】
フレキシブル基板１に形成される複数の雄側端子２１のピン番号を、端から順に第１ピン、第２ピン、第３ピン、……とする。複数の雄側端子２１のうち、ＰＤＩＣ１１、およびＦＭＩＣ１２に接続され接地電位の電気信号を伝送するピン番号が第１，２ピンの雄側端子（以下、「接地用端子」ともいう）を２１ａとして、ＬＤＤＩＣ１３に接続されるピン番号が第１５，１６ピンの接地用端子を２１ｂとして、ＬＣＤ  Ｄｒｉｖｅｒ  ＩＣ１４、ＣＬ駆動Ｄｒｉｖｅｒ  ＩＣ１５、およびＥＥＰＲＯＭ１６に接続されるピン番号が第４４，４５ピンの接地用端子を２１ｃとする。接地用端子２１ａ〜２１ｃを総称して雄側端子２１ともいう。接地用端子２１ａ〜２１ｃの配置は、前述したピン番号の配置に限定されるものではなく、雄側端子２１のうちで任意に配置することができる。
【００３３】
光ピックアップ装置５には、複数の電子部品が含まれているので、複数の電子部品に接続される複数の雄側端子２１が存在するが、図２では接地用端子２１ａ〜２１ｃ以外は省略して示している。
【００３４】
図３は、本発明の実施の一形態であるフレキシブル基板１ａを示す図である。フレキシブル基板１ａには、雄側端子２１と図示しない光ピックアップ本体４に含まれる複数の電子部品とを接続する複数の配線部２０が形成されている。配線部２０ａ〜２０ｃは、接地電位の電気信号を伝送する配線部であり、以下、後述する配線部２０ｄ〜２０ｈも含めて総称して配線部２０ともいう。複数の雄側端子２１は、複数の配線部２０と接続され、フレキシブル基板１ａの端部に形成されている。
【００３５】
フレキシブル基板１ａには、少なくとも２つの配線部２０間を電気的に接続する接続配線部２２が形成されている。配線部２０ａ，２０ｂ，２０ｃと接続配線部２２とは、接続部２５においてそれぞれ電気的に接続された配線構造となっている。
【００３６】
図示しない外部機器は、フレキシブル基板１ａに形成される雄側端子２１と電気的に接続可能な雌側端子３０を含んで構成されている。以下、雄側端子２１ａと接続可能な雌側端子を雌側端子３０ａといい、雄側端子２１ｂと接続可能な雌側端子を雌側端子３０ｂといい、雄側端子２１ｃと接続可能な雌側端子を雌側端子３０ｃという。雌側端子３０ａ〜３０ｃ、および後述する雌側端子３０ｄ〜３０ｈを総称して雌側端子３０ともいう。
【００３７】
フレキシブル基板１ａのコネクタ部２９を外部機器の図示しない雌側コネクタ部に挿入すると、雄側端子２１と雌側端子３０とが、それぞれ一対一で電気的に接続される。外部機器と光ピックアップ本体４とは、雌側端子３０、雄側端子２１、および配線部２０を介して電気信号の伝送などを行うことで、外部機器は光ピックアップ装置５を制御する。
【００３８】
図４は、接続不良が発生している状態のフレキシブル基板１ａと雌側端子３０とを示す図である。フレキシブル基板１ａのコネクタ部２９を外部機器の図示しない雌側コネクタ部に挿入する際の押し圧不足などによって、雄側端子２１と雌側端子３０とは、斜めにずれて接続されている。雄側端子２１ａと雌側端子３０ａとは、正常に電気的に接続されている。雄側端子２１ｂと雌側端子３０ｂと、および雄側端子２１ｃと雌側端子３０ｃとは、電気的に接続されていない。したがって、雄側端子２１と雌側端子３０端子とが正常に電気的に接続されていない接続不良の状態である。接続不良とは、雄側端子２１と雌側端子３０とが接続されない、または雄側端子２１が雌側端子３０のうち本来接触すべきではない別の雌側端子３０と接触するなど、雌側端子３０と雄側端子２１とが、それぞれ一対一で電気的に接続されていないことをいう。
【００３９】
光ピックアップ装置５には、複数の電子部品が含まれているので、フレキシブル基板１ａには複数の雄側端子２１が形成されている。並設される各端子の中心線間の距離をピッチという。フレキシブル基板１ａは、たとえば６５本以上の雄側端子２１を有し、コネクタ部２９の所定の寸法の中に雄側端子２１を収めるために、たとえば０．３ｍｍなどの狭いピッチで雄側端子２１が形成される。
【００４０】
狭いピッチで形成される雄側端子２１を介して、フレキシブル基板１ａと外部機器とが接続される場合、雄側端子２１と雌側端子３０との間でわずかな位置ずれが発生しただけでも、接続不良を起こすことがある。雄側端子２１および雌側端子３０のピッチが狭いと、フレキシブル基板１ａのコネクタ部２９を外部機器の図示しないコネクタ部に挿入した際の押し圧不足、またはフレキシブル基板１ａに形成される雄側端子２１の寸法の公差などによる端子の位置ずれによっても、接続不良が発生する可能性が高くなる。
【００４１】
たとえばＰＤ（Photo Detector）の出力信号を伝送する雄側端子２１と、電源の電圧たとえば５Ｖの雄側端子２１とが隣接して配置されている場合、接続不良によってＰＤに５Ｖの電圧が印加されると、デバイスが破損する可能性がある。たとえば接地電位の電気信号を伝送する雄側端子２１と、電源の電圧たとえば８Ｖを伝送する雄側端子２１とが隣接して配置されている場合、接続不良によって接地電位の電気信号を伝送する配線部２０に８Ｖの電圧が印加されると、過電流が流れてフレキシブル基板１ａが異常に発熱する可能性もある。したがって、狭いピッチで形成される雄側端子２１と雌側端子３０とが接続された場合に、接続状態が正常であるか異常であるかを確認することが求められる。
【００４２】
図５は、フレキシブル基板１ａと外部機器との接続状態が正常であるか異常であるかを判定する第１の接続状態判定方法の処理を示すフローチャートである。外部機器によって、フレキシブル基板１ａとの接続状態を確認するときにステップＡ１に進み、処理が開始される。
【００４３】
ステップＡ２では、外部機器の雌側端子３０と、フレキシブル基板１ａに形成される雄側端子２１とを接続する。したがって、雄側端子２１ａと雌側端子３０ａとが接続され、雄側端子２１ｂと雌側端子３０ｂとが接続され、雄側端子２１ｃと雌側端子３０ｃとが接続されるようにコネクタ部２９を挿入する。
【００４４】
ステップＡ３では、外部機器が雌側端子３０ａのうちいずれか１つの雌側端子によって雄側端子２１ａに対して電圧を印加、または雌側端子３０ｂのうちいずれか１つの雌側端子によって雄側端子２１ｂに対して電圧を印加して、雌側端子３０ａと雌側端子３０ｂとの間の抵抗値の測定を行う。配線部２０ａと配線部２０ｂとの間は、接続配線部２２によって電気的に接続されているので、雄側端子２１ａと雌側端子３０ａとの間、および雄側端子２１ｂと雌側端子３０ｂとの間が正常に電気的に接続されている場合、抵抗値はたとえば３Ω以下と小さい値になる。雄側端子２１ａと雌側端子３０ａとの間、または雄側端子２１ｂと雌側端子３０ｂとの間が接続不良などによって正常に接続されていない場合、抵抗値はたとえば３Ωよりも大きい値になる。抵抗値がたとえば３Ω以下の場合にステップＡ４に進み、抵抗値がたとえば３Ωよりも大きい場合にステップＡ５に進む。
【００４５】
ステップＡ４では、抵抗値がたとえば３Ω以下であるので、外部機器は雌側端子３０ａ、雄側端子２１ａ、配線部２０ａ、配線部２０ｂ、雄側端子２１ｂ、および雌側端子３０ｂ間の電気的接続が確認されたものと判定して、ステップＡ６に進む。ステップＡ５では、抵抗値がたとえば３Ωよりも大きいので、外部機器は雌側端子３０ａ、雄側端子２１ａ、配線部２０ａ、配線部２０ｂ、雄側端子２１ｂ、および雌側端子３０ｂ間の電気的接続が確認されないと判定して、ステップＡ１１に進む。
【００４６】
ステップＡ６では、外部機器が雌側端子３０ａのうちいずれか１つの雌側端子によって雄側端子２１ａに対して電圧を印加、または雌側端子３０ｃのうちいずれか１つの雌側端子によって雄側端子２１ｃに対して電圧を印加して、雌側端子３０ａと雌側端子３０ｃとの間の抵抗値の測定を行う。配線部２０ａと配線部２０ｃとの間は、接続配線部２２によって電気的に接続されているので、雄側端子２１ａと雌側端子３０ａとの間、および雄側端子２１ｃと雌側端子３０ｃとの間が正常に電気的に接続されている場合、抵抗値はたとえば３Ω以下と小さい値になる。雄側端子２１ａと雌側端子３０ａとの間、または雄側端子２１ｃと雌側端子３０ｃとの間が接続不良などによって正常に接続されていない場合、抵抗値はたとえば３Ωよりも大きい値になる。抵抗値がたとえば３Ω以下の場合にステップＡ７に進み、抵抗値がたとえば３Ωよりも大きい場合にステップＡ９に進む。
【００４７】
ステップＡ７では、抵抗値がたとえば３Ω以下であるので、外部機器は雌側端子３０ａ、雄側端子２１ａ、配線部２０ａ、配線部２０ｃ、雄側端子２１ｃ、および雌側端子３０ｃ間の電気的接続が確認されたものと判定して、ステップＡ８に進む。ステップＡ８では、雌側端子３０と雄側端子２１との接続は正常であると判定して、ステップＡ１１に進んで処理を終了する。
【００４８】
ステップＡ９では、抵抗値がたとえば３Ωよりも大きいので、外部機器は雌側端子３０ａ、雄側端子２１ａ、配線部２０ａ、配線部２０ｃ、雄側端子２１ｃ、および雌側端子３０ｃ間の電気的接続が確認されないと判定して、ステップＡ１０に進む。ステップＡ１０では、雌側端子３０と雄側端子２１との接続は異常であると判定して、ステップＡ１１に進んで処理を終了する。
【００４９】
第１の接続状態判定方法では、雌側端子３０ａと雌側端子３０ｂとの間、および雌側端子３０ａと雌側端子３０ｃとの間で抵抗値の測定をそれぞれ行う方法を説明したが、抵抗値の測定を行う方法はこれに限られるものではない。たとえば、雌側端子３０ａと雌側端子３０ｂとの間のみ、雌側端子３０ｂと雌側端子３０ｃとの間のみ、または雌側端子３０ａと雌側端子３０ｃとの間のみで抵抗値の測定を行うことによって、フレキシブル基板１ａと外部機器との接続状態が正常であるか異常であるかを判定することもできる。
【００５０】
図６は、フレキシブル基板１ａと外部機器との接続状態が正常であるか異常であるかを判定する第２の接続状態判定方法の処理を示すフローチャートである。外部機器によって、フレキシブル基板１ａとの接続状態を確認するときにステップＢ１に進み、処理が開始される。
【００５１】
ステップＢ２では、外部機器の雌側端子３０と、フレキシブル基板１ａに形成される雄側端子２１とを接続する。したがって、雄側端子２１ａと雌側端子３０ａとが接続され、雄側端子２１ｂと雌側端子３０ｂとが接続され、雄側端子２１ｃと雌側端子３０ｃとが接続されるようにコネクタ部２９を挿入する。
【００５２】
ステップＢ３では、外部機器が雌側端子３０ａによって雄側端子２１ａに対して電圧を印加して、雌側端子３０ａ間の抵抗値の測定を行う。配線部２０ａ間は電気的に接続されているので、雄側端子２１ａと雌側端子３０ａとが正常に電気的に接続されている場合、抵抗値はたとえば３Ω以下と小さい値になる。雄側端子２１ａと雌側端子３０ａとが接続不良などによって正常に接続されていない場合、抵抗値はたとえば３Ωよりも大きい値になる。抵抗値がたとえば３Ω以下の場合にステップＢ４に進み、抵抗値がたとえば３Ωよりも大きい場合にステップＢ５に進む。
【００５３】
ステップＢ４では、抵抗値がたとえば３Ω以下であるので、外部機器は雌側端子３０ａ、雄側端子２１ａ、および配線部２０ａ間の電気的接続が確認されたものと判定して、ステップＢ６に進む。ステップＢ５では、抵抗値がたとえば３Ωよりも大きいので、外部機器は雌側端子３０ａ、雄側端子２１ａ、および配線部２０ａ間の電気的接続が確認されないと判定して、ステップＢ１３に進む。
【００５４】
ステップＢ６では、外部機器が雌側端子３０ｂによって雄側端子２１ｂに対して電圧を印加して、雌側端子３０ｂ間の抵抗値の測定を行う。配線部２０ｂ間は電気的に接続されているので、雄側端子２１ｂと雌側端子３０ｂとが正常に電気的に接続されている場合、抵抗値はたとえば３Ω以下と小さい値になる。雄側端子２１ｂと雌側端子３０ｂとが接続不良などによって正常に接続されていない場合、抵抗値はたとえば３Ωよりも大きい値になる。抵抗値がたとえば３Ω以下の場合にステップＢ７に進み、抵抗値がたとえば３Ωよりも大きい場合にステップＢ８に進む。
【００５５】
ステップＢ７では、抵抗値がたとえば３Ω以下であるので、外部機器は雌側端子３０ｂ、雄側端子２１ｂ、および配線部２０ｂ間の電気的接続が確認されたものと判定して、ステップＢ９に進む。ステップＢ８では、抵抗値がたとえば３Ωよりも大きいので、外部機器は雌側端子３０ｂ、雄側端子２１ｂ、および配線部２０ｂ間の電気的接続が確認されないと判定して、ステップＢ１３に進む。
【００５６】
ステップＢ９では、外部機器が雌側端子３０ｃによって雄側端子２１ｃに対して電圧を印加して、雌側端子３０ｃ間の抵抗値の測定を行う。配線部２０ｃ間は電気的に接続されているので、雄側端子２１ｃと雌側端子３０ｃとが正常に電気的に接続されている場合、抵抗値はたとえば３Ω以下と小さい値になる。雄側端子２１ｃと雌側端子３０ｃとが接続不良などによって正常に接続されていない場合、抵抗値はたとえば３Ωよりも大きい値になる。抵抗値がたとえば３Ω以下の場合にステップＢ１０に進み、抵抗値がたとえば３Ωよりも大きい場合にステップＢ１２に進む。
【００５７】
ステップＢ１０では、抵抗値がたとえば３Ω以下であるので、外部機器は雌側端子３０ｃ、雄側端子２１ｃ、および配線部２０ｃ間の電気的接続が確認されたものと判定して、ステップＢ１１に進む。ステップＢ１１では、雌側端子３０と雄側端子２１との接続は正常であると判定して、ステップＢ１４に進んで処理を終了する。
【００５８】
ステップＢ１２では、抵抗値がたとえば３Ωよりも大きいので、外部機器は雌側端子３０ｃ、雄側端子２１ｃ、および配線部２０ｃ間の電気的接続が確認されないと判定して、ステップＢ１３に進む。ステップＢ１３では、雌側端子３０と雄側端子２１との接続は異常であると判定して、ステップＢ１４に進んで処理を終了する。
【００５９】
第２の接続状態判定方法では、雌側端子３０ａ間、雌側端子３０ｂ間、および雌側端子３０ｃ間で抵抗値の測定をそれぞれ行う方法を説明したが、抵抗値の測定を行う方法はこれに限られるものではない。たとえば、雌側端子３０ａ間、雌側端子３０ｂ間、および雌側端子３０ｃ間のうち、少なくとも１つの雌側端子間で抵抗値の測定を行うことによって、フレキシブル基板１ａと外部機器との接続状態が正常であるか異常であるかを判定することもできる。さらに、第１の接続状態判定方法と第２の接続状態判定方法とを組み合わせることによって、フレキシブル基板１ａと外部機器との接続状態が正常であるか異常であるかを判定することもできる。
【００６０】
このように、フレキシブル基板１ａと外部機器とが接続された後に、外部機器は雌側端子３０ａ〜３０ｃによって、雄側端子２１ａ〜２１ｃに対して電圧を印加して、抵抗値を測定して、雌側端子３０と雄側端子２１との接続状態が正常であるか異常であるかを容易に判定することができる。接続状態が正常であると判定される場合、外部機器は光ピックアップ装置５に電力の供給、および信号の伝送などを行うことによって、光ピックアップ装置５を確実に動作させることができる。接続状態が異常であると判定される場合、外部機器は光ピックアップ装置５に電力の供給、および信号の伝送などを行わないことによって、フレキシブル基板１ａおよび光ピックアップ装置５に含まれる電子部品の破損を防ぐことができる。
【００６１】
また、接続状態が異常であると判定された際に、コネクタ部２９を外部機器の雌側コネクタ部から抜き、再挿入させて雌側端子３０と雄側端子２１とを接続させて、接続状態が正常であるか異常であるかを再判定してもよい。再判定で接続状態が正常であると判定されると、外部機器は光ピックアップ装置を確実に動作させることができる。
【００６２】
図７は、本発明の実施の他の形態であるフレキシブル基板１ｂを示す図である。図３で示したフレキシブル基板１ａと同一の構成には同一の参照符を付して、重複を避けるために説明は省略する。
【００６３】
フレキシブル基板１ｂには、複数の配線部２０が隣接して形成され、配線部２０ｄは、配線部２０の隣接方向の最両端の位置にそれぞれ配置されている。フレキシブル基板１ｂには、２つの配線部２０ｄ間を、接続部２５で電気的に接続する接続配線部２３が形成されている。配線部２０ｄは、接地電位の電気信号を伝送する配線部である。
【００６４】
フレキシブル基板１ｂは、フレキシブル基板１ａと同様に、端部に形成される雄側端子２１と、図示しない外部機器の雌側端子３０とが接続された後に、接続状態の判定を行うことができる。雄側端子２１ｄは、配線部２０ｄと接続されている。雄側端子２１ｄと接続可能な雌側端子を、以下雌側端子３０ｄという。
【００６５】
図８は、フレキシブル基板１ｂと外部機器との接続状態が正常であるか異常であるかを判定する接続状態判定方法の処理を示すフローチャートである。外部機器によって、フレキシブル基板１ｂとの接続状態を確認するときにステップＣ１に進み、処理が開始される。
【００６６】
ステップＣ２では、外部機器の雌側端子３０と、フレキシブル基板１ｂに形成される雄側端子２１とを接続する。したがって、雄側端子２１ｄと雌側端子３０ｄとが接続されるようにコネクタ部２９を挿入する。
【００６７】
ステップＣ３では、外部機器が雌側端子３０ｄによって雄側端子２１ｄに対して電圧を印加して、雌側端子３０ｄ間の抵抗値の測定を行う。配線部２０ｄ間は電気的に接続されているので、雄側端子２１ｄと雌側端子３０ｄとが正常に電気的に接続されている場合、抵抗値はたとえば３Ω以下と小さい値になる。雄側端子２１ｄと雌側端子３０ｄとが接続不良などによって正常に接続されていない場合、抵抗値はたとえば３Ωよりも大きい値になる。抵抗値が３Ω以下の場合にステップＣ４に進み、抵抗値が３Ωよりも大きい場合にステップＣ６に進む。
【００６８】
ステップＣ４では、抵抗値が３Ω以下であるので、外部機器は雌側端子３０ｄ、雄側端子２１ｄ、および配線部２０ｄ間の電気的接続が確認されたものと判定して、ステップＣ５に進む。ステップＣ５では、雌側端子３０と雄側端子２１との接続は正常であると判定して、ステップＣ８に進んで処理を終了する。
【００６９】
ステップＣ６では、抵抗値が３Ωよりも大きいので、外部機器は雌側端子３０ｄ、雄側端子２１ｄ、および配線部２０ｄ間の電気的接続が確認されないと判定して、ステップＣ７に進む。ステップＣ７では、雌側端子３０と雄側端子２１との接続は異常であると判定して、ステップＣ８に進んで処理を終了する。
【００７０】
このように、フレキシブル基板１ｂと外部機器とが接続された後に、外部機器は雌側端子３０ｄによって、雄側端子２１ｄに対して電圧を印加して、抵抗値を測定して、雌側端子３０と雄側端子２１との接続状態が正常であるか異常であるかを容易に判定することができる。接続状態が正常であると判定される場合、外部機器は光ピックアップ装置５に電力の供給、および信号の伝送などを行うことによって、光ピックアップ装置５を確実に動作させることができる。接続状態が異常であると判定される場合、外部機器は光ピックアップ装置５に電力の供給、および信号の伝送などを行わないことによって、フレキシブル基板１ｂおよび光ピックアップ装置５に含まれる電子部品の破損を防ぐことができる。
【００７１】
また、隣接して形成される配線部２０のうち、隣接方向の最両端に位置する配線部２０ｄは、外部からの衝撃などが原因で断線することがある。図７に示したフレキシブル基板１ｂでは、接続状態を判定する際に配線部２０ｄ間が電気的に接続されていることが確認されると、配線部２０ｄが断線していないことも同時に確認することができる。
【００７２】
図９は、本発明の実施のさらに他の形態であるフレキシブル基板１ｃを示す図である。図３で示したフレキシブル基板１ａと同一の構成には同一の参照符を付して、重複を避けるために説明は省略する。
【００７３】
フレキシブル基板１ｃには、複数の配線部２０が隣接して形成され、配線部２１ｅは、配線部２０の隣接方向の最両端の位置にそれぞれ配置されている。配線部２０ｅは、接地電位の電気信号を伝送する配線部である。配線部２１ｅと、導電部材からなるハウジング２とは、金属ネジまたはハウジング２に形成される突起部などによって、接続部２６で接続されている。したがって、配線部２１ｅ間は、ハウジング２を介してそれぞれ電気的に接続されている。ハウジング２は、フレキシブル基板１ｃ外に設けられる。雄側端子２１ｅは、配線部２０ｅと接続されている。雄側端子２１ｅと接続可能な雌側端子を、以下雌側端子３０ｅという。
【００７４】
フレキシブル基板１ｃは、フレキシブル基板１ａと同様に、端部に形成される雄側端子２１と、図示しない外部機器の雌側端子３０とが接続された後に、接続状態の判定を行うことができる。フレキシブル基板１ｃと外部機器との接続状態が正常であるか異常であるかを判定する方法は、図８で説明した接続状態判定方法と同様の方法で行うことができるので、重複を避けるために説明は省略する。
【００７５】
このように、フレキシブル基板１ｃと外部機器とが接続された後に、外部機器は雌側端子３０ｅによって、雄側端子２１ｅに対して電圧を印加して、抵抗値を測定して、雌側端子３０と雄側端子２１との接続状態が正常であるか異常であるかを容易に判定することができる。接続状態が正常であると判定される場合、外部機器は光ピックアップ装置５に電力の供給、および信号の伝送などを行うことによって、光ピックアップ装置５を確実に動作させることができる。接続状態が異常であると判定される場合、外部機器は光ピックアップ装置５に電力の供給、および信号の伝送などを行わないことによって、フレキシブル基板１ｃおよび光ピックアップ装置５に含まれる電子部品の破損を防ぐことができる。
【００７６】
また、電子機器では、外部に放出される電波である不要輻射を制限する規制がある。光ピックアップ装置５において、ハウジング２を接地電位の電気信号を伝送する配線部２０ｅに接続することによって、不要輻射を低減させることができる。フレキシブル基板１ｃでは、接続状態を判定する際に配線部２０ｅ間が電気的に接続されていることが確認されると、配線部２０ｅがハウジング２に確実に接続されていることも同時に確認することができる。これによって、不要輻射を確実に低減させることができる光ピックアップ装置、光ピックアップ装置を搭載する光情報処理装置、および光情報処理装置を搭載する電子機器を製造することができる。
【００７７】
フレキシブル基板１ｃでは、配線部２０ｅが、配線部２０の隣接方向の最両端の位置に配置されているが、配線部２０のうちで任意の位置に配置することができ、同様に不要輻射を低減する効果を有する。
【００７８】
図１０は、本発明の実施のさらに他の形態である光ピックアップ装置５に含まれる電子部品の一部と、雄側端子２１との対応を示す図である。複数の雄側端子２１のうち、ＰＤＩＣ１１、およびＦＭＩＣ１２に接続され、たとえば５Ｖの電源電圧レベルの電気信号を伝送するピン番号が第４０，４１ピンの雄側端子（以下、「電源用端子」ともいう）を２１ｆとして、ＬＤＤＩＣ１３に接続されるピン番号が第２２，２３ピンの電源用端子を２１ｇとして、ＣＬ駆動Ｄｒｉｖｅｒ  ＩＣ１５に接続されるピン番号が第４８，４９ピンの電源用端子を２１ｈとする。電源用端子２１ｆ〜２１ｈを総称して雄側端子２１ともいう。電源用端子２１ｆ〜２１ｈの配置は、前述したピン番号の配置に限定されるものではなく、雄側端子２１のうちで任意に配置することができる。
【００７９】
光ピックアップ装置５には、複数の電子部品が含まれているので、複数の電子部品に接続される複数の雄側端子２１が存在するが、図１０では電源用端子２１ｆ〜２１ｈ以外は省略して示している。
【００８０】
図１１は、本発明の実施のさらに他の形態であるフレキシブル基板１ｄを示す図である。図３で示したフレキシブル基板１ａと同一の構成には同一の参照符を付して、重複を避けるために説明は省略する。フレキシブル基板１ａには、電源電圧レベルの電気信号を伝送する配線部２０ｆ〜２０ｈが形成され、さらに配線部２０ｆ〜２０ｈ間を、接続部２５で電気的に接続する接続配線部２４が形成されている。雄側端子２１ｆと配線部２０ｆと、雄側端子２１ｇと配線部２０ｇと、および雄側端子２１ｈと配線部２０ｈとがそれぞれ接続されている。以下、雄側端子２１ｆと接続可能な雌側端子を雌側端子３０ｆといい、雄側端子２１ｇと接続可能な雌側端子を雌側端子３０ｇといい、雄側端子２１ｈと接続可能な雌側端子を雌側端子３０ｈという。
【００８１】
フレキシブル基板１ｄは、フレキシブル基板１ａと同様に、端部に形成される雄側端子２１と、外部機器の雌側端子３０とが接続された後に、接続状態の判定を行うことができる。フレキシブル基板１ｄと外部機器との接続状態が正常であるか異常であるかを判定する方法は、図５または図６で説明した接続状態判定方法と同様の方法で行うことができるので、重複を避けるために説明は省略する。
【００８２】
このように、フレキシブル基板１ｄと外部機器とが接続された後に、外部機器は雌側端子３０ｆ〜３０ｈによって、雄側端子２１ｆ〜２１ｈに対して電圧を印加して、抵抗値を測定して、雌側端子３０と雄側端子２１との接続状態が正常であるか異常であるかを容易に判定することができる。接続状態が正常であると判定される場合、外部機器は光ピックアップ装置５に電力の供給、および信号の伝送などを行うことによって、光ピックアップ装置５を確実に動作させることができる。接続状態が異常であると判定される場合、外部機器は光ピックアップ装置５に電力の供給、および信号の伝送などを行わないことによって、フレキシブル基板１ｄおよび光ピックアップ装置５に含まれる電子部品の破損を防ぐことができる。
【００８３】
図１２は、本発明の実施のさらに他の形態である光ピックアップ装置５を搭載する光情報処理装置９を示す図である。光情報処理装置９は、フレキシブル基板１を含む光ピックアップ装置５と、光記録媒体を回転させるスピンドルモータ７と、光ピックアップ装置５およびスピンドルモータ７などを制御するＩＣ（Integrated Circuit）を搭載するドライブ基板８と、フレキシブル基板１に形成される雄側端子２１と電気的に接続可能な図示しない雌側端子３０とを含んで構成される。光ピックアップ本体４とドライブ基板８とは、フレキシブル基板１に形成される雌側端子２１および配線部２０などを介して、電気的に接続される。ドライブ基板８は、電気信号の伝送などを行って、光ピックアップ装置５を制御する。
【００８４】
光情報処理装置９の雌側端子３０と、フレキシブル基板に形成される雄側端子２１とが接続された後に、接続状態の判定を行うことができる。雌側端子３０と雄側端子２１との接続状態が正常であるか異常であるかを判定する方法は、図５、図６または図８で説明した接続状態判定方法と同様の方法で行うことができるので、重複を避けるために説明は省略する。
【００８５】
このように、雌側端子３０と雄側端子２１とが接続された後に、光情報処理装置９は雌側端子３０によって、雄側端子２１に対して電圧を印加して、抵抗値を測定して、雌側端子３０と雄側端子２１との接続状態が正常であるか異常であるかを容易に判定することができる。接続状態が正常であると判定される場合、光情報処理装置９は光ピックアップ装置５に電力の供給、および信号の伝送などを行い光ピックアップ装置５を確実に動作させることによって、光情報処理装置９の正常な動作が担保される。接続状態が異常であると判定される場合、光情報処理装置９は光ピックアップ装置５に電力の供給、および信号の伝送などを行わないことによって、フレキシブル基板１および光ピックアップ装置５に含まれる電子部品の破損を防ぐことができる。
【００８６】
光情報処理装置９は、たとえば高密度記録媒体ドライブなどを含み、雌側端子３０と雄側端子２１とが接続された後に、フレキシブル基板１との接続が正常であるか異常であるかを判定する接続状態判定システムを構成することができる。外部機器は、たとえば光ピックアップ生産用装置、および光記録媒体評価システムなどを含んで構成され、フレキシブル基板１と接続された後に、フレキシブル基板１との接続が正常であるか異常であるかを判定する接続状態判定システムを構成することができる。
【００８７】
このように、複数の配線部２０が形成され、複数の配線部２０のうち、同じ種類の電気信号を伝送する少なくとも２つの配線部２０ａ〜２０ｈ間が、電気的に接続されている。
【００８８】
したがって、フレキシブル基板１に接続状態を確認するための雄側端子２１を別途設ける必要がないので、フレキシブル基板１に形成される雄側端子２１の数を増加させることなく、フレキシブル基板１と外部機器とが接続されたとき、電気的に接続されている配線部２０ａ〜２０ｈを用いて、接続状態が正常であるか異常であるかを容易に判定することができる。接続状態が正常であると判定される場合、外部機器はフレキシブル基板１に電気信号の伝送などを行ない、接続状態が異常であると判定される場合、外部機器はフレキシブル基板１に電気信号の伝送などを行わないので、フレキシブル基板１、およびフレキシブル基板１を含む光ピックアップ装置５を構成する電子部品の破損を防ぐことができる。
【００８９】
さらに、接地電位の電気信号を伝送する配線部２０ａ〜２０ｅ間が、電気的に接続されていることによって、配線部２０ａ〜２０ｅを用いて、接続状態が正常であるか異常であるかを容易に判定することができる。
【００９０】
さらに、少なくとも２つの配線部２０間を電気的に接続する接続配線部２２，２３が形成され、配線部２０ａ〜２０ｄ間が、接続配線部２２，２３を介して電気的に接続されていることによって、配線部２０ａ〜２０ｄを用いて、接続状態が正常であるか異常であるかを容易に判定することができる。
【００９１】
さらに、フレキシブル基板１には、複数の配線部２０が隣接して形成され、配線部２０ｄが、フレキシブル基板１に形成される配線部２０の隣接方向の最両端の位置にそれぞれ配置されていることによって、配線部２０ｄを用いて、接続状態が正常であるか異常であるかを容易に判定することができる。また、外部からの衝撃などで断線しやすい配線部２０ｄが、断線していないことを確認することもできる。
【００９２】
さらに、配線部２０ｅ間が、フレキシブル基板１外に設けられるハウジング２を介して電気的に接続されていることによって、配線部２０ｅを用いて、接続状態が正常であるか異常であるかを容易に判定することができる。
【００９３】
さらに、電源電圧レベルの電気信号を伝送する配線部２０ｆ〜２０ｈ間が、電気的に接続されていることによって、配線部２０ｆ〜２０ｈを用いて、接続状態が正常であるか異常であるかを容易に判定することができる。
【００９４】
さらに、少なくとも２つの配線部２０間を電気的に接続する接続配線部２４が形成され、配線部２０ｆ〜２０ｈ間が、接続配線部２４を介して電気的に接続されていることによって、配線部２０ｆ〜２０ｈを用いて、接続状態が正常であるか異常であるかを容易に判定することができる。
【００９５】
さらに、光ピックアップ装置５がフレキシブル基板１を含んでいることによって、フレキシブル基板１と外部機器とが接続された際に、外部機器によって、電気的に接続されている配線部２０ａ〜２０ｈを用いて、接続状態が正常であるか異常であるかを容易に判定することができる。接続状態が正常であると判定される場合、外部機器は光ピックアップ装置５に電力の供給、および信号の伝送などを行うことによって、光ピックアップ装置５を確実に動作させることができる。接続状態が異常であると判定される場合、外部機器は光ピックアップ装置５に電力の供給、および信号の伝送などを行わないことによって、フレキシブル基板１および光ピックアップ装置５に含まれる電子部品の破損を防ぐことができる。
【００９６】
さらに、光ピックアップ装置５がフレキシブル基板１ｃと、導電部材からなるハウジング２とを含んでいることによって、フレキシブル基板１ｃと外部機器とが接続された際に、外部機器によって、電気的に接続されている配線部２０ｅを用いて、接続状態が正常であるか異常であるかを容易に判定することができる。接続状態が正常であると判定される場合、外部機器は光ピックアップ装置５に電力の供給、および信号の伝送などを行うことによって、光ピックアップ装置５を確実に動作させることができる。接続状態が異常であると判定される場合、外部機器は光ピックアップ装置５に電力の供給、および信号の伝送などを行わないことによって、フレキシブル基板１ｃおよび光ピックアップ装置５に含まれる電子部品の破損を防ぐことができる。また、ハウジング２が配線部２０ｅに接続されているので、光ピックアップ装置５から発生する不要輻射を低減させることができる。
【００９７】
さらに、光情報処理装置９が、光ピックアップ装置５を搭載することによって、フレキシブル基板１に形成される電気的に接続されている配線部２０ａ〜２０ｈを用いて、接続状態が正常であるか異常であるかを容易に判定することができる。接続状態が正常であると判定される場合、光情報処理装置９は光ピックアップ装置５に電力の供給、および信号の伝送などを行い光ピックアップ装置５を確実に動作させることができるので、光情報処理装置９の正常な動作が担保される。接続状態が異常であると判定される場合、光情報処理装置９は光ピックアップ装置５に電力の供給、および信号の伝送などを行わないことによって、フレキシブル基板１および光ピックアップ装置５に含まれる電子部品の破損を防ぐことができる。
【００９８】
さらに、接続状態判定システムが、光ピックアップ装置５に含まれるフレキシブル基板１との接続状態を判定するにあたって、フレキシブル基板１は、複数の配線部２０と接続される複数の雄側端子２１が端部に形成されている。接続状態判定システムは、雄側端子２１と電気的に接続可能な複数の雌側端子３０を有し、雌側端子３０と雄側端子２１とが接続された後に、雌側端子３０ａ〜３０ｈによって、電気的に接続されている配線部２０ａ〜２０ｈに接続される雄側端子２１ａ〜２１ｈに対して電圧を印加する。電気的な接続が確認される場合は、雌側端子３０と雄側端子２１との接続状態は正常であると判定し、電気的な接続が確認されない場合は、雌側端子３０と雄側端子２１との接続状態は異常であると判定する。
【００９９】
したがって、接続状態判定システムは、フレキシブル基板１に形成される電気的に接続されている配線部２０ａ〜２０ｈを用いて、接続状態が正常であるか異常であるかを容易に判定することができる。接続状態が正常であると判定される場合、光ピックアップ装置５に電力の供給、および信号の伝送などを行うことによって、光ピックアップ装置５を確実に動作させることができる。接続状態が異常であると判定される場合、外部機器は光ピックアップ装置５に電力の供給、および信号の伝送などを行わないことによって、フレキシブル基板１および光ピックアップ装置５に含まれる電子部品の破損を防ぐことができる。
【０１００】
さらに、光ピックアップ装置５に含まれるフレキシブル基板１の端部に形成され、かつ複数の配線部２０と接続される複数の雄側端子２１と電気的に接続可能な複数の雌側端子３０を有する外部機器が、フレキシブル基板１との接続状態を判定する接続状態判定方法を行うにあたって、雌側端子３０と雄側端子２１とを接続する接続ステップを行う。接続ステップで雌側端子３０と雄側端子２１とが接続された後、雌側端子３０ａ〜３０ｈによって、電気的に接続されている配線部２０ａ〜２０ｈに接続される雄側端子２１ａ〜２１ｈに対して電圧を印加して、電気的な接続が確認されるか異常であるかを判定する第１の判定ステップを行う。第１の判定ステップで、電気的な接続が確認されたものと判定された場合は、雌側端子３０と雄側端子２１との接続状態は正常であると判定し、電気的な接続が確認されないと判定された場合は、雌側端子３０と雄側端子２１との接続状態は異常であると判定する第２の判定ステップを行う。
【０１０１】
したがって、外部機器はフレキシブル基板１に形成され、かつ電気的に接続されている配線部２０ａ〜２０ｈを用いて、フレキシブル基板１と外部機器との接続状態が正常であるか異常であるかを容易に判定することができる。
【図面の簡単な説明】
【０１０２】
【図１】本発明の実施の一形態である光ピックアップ装置５の外観を示す図である。
【図２】光ピックアップ装置５に含まれる電子部品の一部と、雄側端子２１との対応を示す図である。
【図３】本発明の実施の一形態であるフレキシブル基板１ａを示す図である。
【図４】接続不良が発生している状態のフレキシブル基板１ａと雌側端子３０とを示す図である。
【図５】フレキシブル基板１ａと外部機器との接続状態が正常であるか異常であるかを判定する第１の接続状態判定方法の処理を示すフローチャートである。
【図６】フレキシブル基板１ａと外部機器との接続状態が正常であるか異常であるかを判定する第２の接続状態判定方法の処理を示すフローチャートである。
【図７】本発明の実施の他の形態であるフレキシブル基板１ｂを示す図である。
【図８】フレキシブル基板１ｂと外部機器との接続状態が正常であるか異常であるかを判定する接続状態判定方法の処理を示すフローチャートである。
【図９】本発明の実施のさらに他の形態であるフレキシブル基板１ｃを示す図である。
【図１０】本発明の実施のさらに他の形態である光ピックアップ装置５に含まれる電子部品の一部と、雄側端子２１との対応を示す図である。
【図１１】本発明の実施のさらに他の形態であるフレキシブル基板１ｄを示す図である。
【図１２】本発明の実施のさらに他の形態である光ピックアップ装置５を搭載する光情報処理装置９を示す図である。
【図１３】従来の技術による端子間の接続状態検証方法を説明するための図である。
【図１４】従来の技術による電子モジュールを示す図である。
【符号の説明】
【０１０３】
１ａ〜１ｄ  フレキシブル基板
２  ハウジング
３  対物レンズ
４  光ピックアップ本体
５  光ピックアップ装置
７  スピンドルモータ
８  ドライブ基板
９  光情報処理装置
１１  ＰＤＩＣ
１２  ＦＭＩＣ
１３  ＬＤＤＩＣ
１４  ＬＣＤ  Ｄｒｉｖｅｒ  ＩＣ
１５  ＣＬ駆動  Ｄｒｉｖｅｒ  ＩＣ
１６  ＥＥＰＲＯＭ
２０  配線部
２０ａ〜２０ｈ  配線部
２１  雄側端子
２２〜２４  接続配線部
２５，２６  接続部
２９  コネクタ部
３０  雌側端子
３１  透明基板
３１ａ，３１ｂ  端子
３２  フレキシブル基板
３２ａ，３２ｂ  リード端子
３３  ＡＣＦ
３４，３４ａ  ダミー端子
３５  ランドパターン
４１  基板
４２  取り出し配線
４３  フレキシブル基板
４４  ＡＣＦ接合配線
４５  分岐部
４６  ＡＣＦ
【図１】
2010129107.tif 000003
【図２】
2010129107.tif 000004
【図３】
2010129107.tif 000005
【図４】
2010129107.tif 000006
【図５】
2010129107.tif 000007
【図６】
2010129107.tif 000008
【図７】
2010129107.tif 000009
【図８】
2010129107.tif 000010
【図９】
2010129107.tif 000011
【図１０】
2010129107.tif 000012
【図１１】
2010129107.tif 000013
【図１２】
2010129107.tif 000014
【図１３】
2010129107.tif 000015
【図１４】
2010129107.tif 000016